(57)【要約】【課題】  安定した泳動姿勢を保つことが可能なスピナベイト型ルアーを提供する。【解決手段】  このルアーのシャフト１の折り曲げ部分は、２段階に折り曲げられており、第１折り曲げ部分１ａと第２折り曲げ部分1ｂとから構成される。この２つの折り曲げ部分の間の領域に、スイベル４がゴム管６に挟持されて配置されている。そして、スイベル４に釣糸Ｌが連結される。【選択図】      図１
2005185255.tif 000002
【特許請求の範囲】
【請求項１】
魚釣りに用いるスピナベイト型ルアーであって、
略くの字型に折り曲げられ、前記折り曲げ部分が釣糸連結部分であるシャフトと、
前記シャフトの一端に回転自在に連結されるブレイド部と、
前記シャフトの他端に連結されるボディ部と、
前記釣糸連結部分に連結されたスイベルと、
を備えたルアー。
【請求項２】
前記シャフトの折り曲げ部分は、第１折り曲げ部分と、前記第１折り曲げ部分から一定の距離を設けて再び折り曲げられる第２折り曲げ部分とを有し、
前記第１折り曲げ部分と第２折り曲げ部分との間の領域に前記スイベルが連結されており、
前記スイベルを前記領域に位置決めする位置決め手段をさらに備えている、請求項１に記載のルアー。
【請求項３】
前記位置決め手段は、前記シャフト上の長手方向の任意の位置で固定される管体である、請求項２に記載のルアー。
【請求項４】
前記管体は前記シャフトに対して脱着自在である、請求項３に記載のルアー。
【発明の詳細な説明】
【技術分野】
【０００１】
本発明はルアー、特に、スピナベイト型と呼ばれるタイプのルアーに関する。
【背景技術】
【０００２】
ルアーの中には、スピナベイト型と呼ばれるルアーがある。スピナベイト型ルアーは、「く」の字型に折り曲げられた金属製のシャフトと、このシャフトの一端に回転自在に連結された小判型のブレイドと呼ばれる部材と、シャフトの他端に連結され魚の頭部に似せて形成されたボディ部とを有している。ボディ部は魚の頭部などに似せて形成された金属等からなる部材であり、このボディ部には釣針が連結され、さらに、必要に応じてシリコン樹脂等からなるフラスカートが連結される。金属製のシャフトの「く」の字型に折り曲げられた折り曲げ部分は、さらに部分的に折り曲げられ、釣糸を連結するための釣糸連結部分となっている（例えば、特許文献１，特許文献２等参照）。
【０００３】
このスピナベイト型ルアーでは、水中で引き寄せられ泳動すると水圧によってシャフトが振動し、ブレイドが水流を受けて回転する。すると、このブレイド回転によって生じる振動がシャフトに伝達され、シャフトを介してボディ部にこの振動が伝達される。そして、ボディ部が振動すると共にフラスカートが流水になびくことになり、このルアーは様々な動きを演出して魚の興味を引き立てるのである。
【０００４】
このようなスピナベイト型のルアーは、上述のように金属製のシャフトを中心として、ボディ部，ブレイドがその両端に連結されており、水中ではシャフトを鉛直方向に位置させて用いることになる。しかし、水中には様々な障害物もあり、また水流の影響などをルアーは受けることになる。このため、スピナベイト型のルアーは必ずしもシャフトを常に鉛直方向に位置して水中を泳動するものではなく、左右に揺れたり場合によっては回転したりすることもあり得る。このような場合に、釣糸が絡まって上手くルアーが水中で泳動できなくなる恐れもある。従来のスピナベイト型のルアーにおいては、スピナベイト型ルアーのシャフトの振動やブレイドの回転態様などが専ら注目されており、水中での安定した泳動態様という観点に十分な配慮が為されてこなかった。
【特許文献１】特開2003-144014号公報
【特許文献２】特開2002-034393号公報
【発明の開示】
【発明が解決しようとする課題】
【０００５】
本発明は、従来のものに比較して釣糸が絡みにくく、安定した泳動姿勢を水中でとり、円滑な動きを為すスピナベイトを提供するものである。
【課題を解決するための手段】
【０００６】
本発明のルアーは、魚釣りに用いるスピナベイト型ルアーであって、略くの字型に折り曲げられ、この折り曲げ部分が釣糸連結部分であるシャフトと、シャフトの一端に回転自在に連結されるブレイド部と、シャフトの他端に連結されるボディ部と、釣糸連結部分に連結されたスイベルとを備えている。
【０００７】
このルアーでは、釣糸はスイベルに直接若しくは周知のフック部材を介して連結される。水中に投じられたルアーは釣糸を巻き上げる等の作業により、シャフトを鉛直方向に立てた状態で水中を泳動する。水中で障害物に当たり若しくは水流などを受けてシャフトが鉛直方向から左右に傾き若しくは回転しても、シャフトと釣糸との間にはスイベルが介在しており、このスイベルがシャフトへの釣糸の絡みつきを防止している。
【０００８】
また、このルアーでは、釣糸にスナップを付けて、このスナップを介してルアーに釣糸を容易に脱着可能となる。何故なら、従来のスピナベイト型のルアーのように、ワイヤの一部分を折り曲げただけでは、スナップをワイヤ上の特定の部分に固定できない。もちろん、ワイヤの一部分をリング状に加工するなどの手法により、スナップをワイヤ状の特定の部分に固定可能であるが、このようなリング状に加工したワイヤでは釣糸の糸絡みという問題も生じる。このルアーのように、シャフト上の特定の位置にスイベルを配置することで、スナップの利用が可能となる。
【０００９】
例えば、シャフトの折り曲げ部分は、第１折り曲げ部分と、第１折り曲げ部分から一定の距離を設けて再び折り曲げられる第２折り曲げ部分とを有するものとしてもよい。この場合、この第１折り曲げ部分と第２折り曲げ部分との間の領域にスイベルが連結される。係る領域にスイベルを配置することで、スイベルがシャフトの長手方向において安定した位置に位置決めされる。この場合、スイベルを上述の領域に位置決めする位置決め手段をさらに設けるのが好ましい。
【００１０】
このような位置決め手段としては、シャフト上の長手方向の任意の位置で固定される管体が例示できる。例えば、ゴム管などである。このようなゴム管でシャフトに連結されたスイベルの一部分を挟持する。さらに、管体はシャフトに対して脱着自在としてもよい。
【発明の効果】
【００１１】
本発明にかかるルアーは、釣糸が絡みにくく水中において安定した泳動姿勢を取りやすい。
【発明を実施するための最良の形態】
【００１２】
［第１実施形態］
以下、本発明の１つの実施形態について図面を参照しつつ説明する。
【００１３】
このスピナベイト型ルアーは、図１に示すように、金属製線材を「く」の字型に折り曲げて形成されたシャフト１と、シャフト１の一端に回転自在に連結されたブレイド２と、シャフト１の他端に取り付けられたボディ部３とを有している。
【００１４】
シャフト１はスチール，アルミニウム，チタンまたはこれらの合金等からなる部材である。さらに、超弾性を有する形状記憶合金などを利用してもよい。そして、「く」の字型に折り曲げられた折り曲げ部分は、後に詳しく説明するように、スイベル４を介して釣糸Ｌを連結するための釣糸連結部分となっている。シャフト１の長手方向の一端はさらに折り返されてフック形状に加工されており、ここに後述のブレイド２が連結される。一方、シャフト１の長手方向の他端にはボディ部３が連結される。ボディ部３は接着剤若しくは溶接等によってシャフト１に連結されている。
【００１５】
ブレイド２は金属または合成樹脂からなる小判型の薄板状部材である。ブレイド２は薄板の水平方向において湾曲する等の変形加工が施されており、水流を受けて回転するように工夫されている。特に、その回転を良好にするために、シャフト１との連結部分においては、スイベル６等を介在させてもよい。
【００１６】
ボディ部３は、魚の頭部等に似せて形成された金属製の部材である。その周面には魚の外形に似せて目や鱗などの塗装が施される。さらに、ボディ部３には魚の外形に似せたその腹部や尾部側に金属線材からなる連結部分が形成される。この連結部分に釣針が周知のスナップ等を介して連結される。もっとも、釣針は直接ボディ部３に連結して固定してもよい。さらに、ボディ部３には、ナイロン樹脂などから形成されたフラスカートなどを取り付けても良い。
【００１７】
図２に詳しく示すように、シャフト１はその長手方向の比較的ボディ部３側よりの部分が折り曲げられて、全体として略「く」の字型に形成されている。この折り曲げ部分は、第１折り曲げ部分１ａと、第１折り曲げ部分１ａから一定の距離を設けて再び折り曲げられる第２折り曲げ部分１ｂとから構成されている。この第１折り曲げ部分１ａと第２折り曲げ部分１ｂとの間の領域にスイベル４がゴム管６と共に連結されている。この領域の長さは１０ｍｍ程度であり、スイベル４及び一対のゴム管６がちょうどその領域内に収まる程度の長さである。スイベル４は周知のものであり、スイベル４の両端部分は周方向に相互に中央部分に対して回転自在に連結されている。両端部分にはそれぞれ貫通孔が形成されており、一方の貫通孔に釣糸Ｌが、他方の貫通孔にシャフト１が挿通している。ゴム管６はシリコンゴム等の弾性ゴムから形成され長手方向に貫通する貫通孔を有する管状体である。シャフト１の長手方向の任意の位置で固定可能である。これらの一対のゴム管６及びスイベル４は、例えば、シャフト１の長手方向の一端を折り返してフック形状に加工する前に、シャフト１上に配置される。
【００１８】
このスピナベイト型のルアーは、図２に示すように、釣糸Ｌをスイベル４の一端に連結して用いられることになる。水中に投じられたルアーは釣糸Ｌを巻き上げる等の作業により、シャフト１を鉛直方向に立てた状態で水中を泳動する。そして、シャフト１は水流を受けて振動し、ブレイド２は水流を受けて回転し、魚の興味を引き立てることにある。水中で障害物に当たり若しくは水流などを受けてシャフト１が鉛直方向から左右に傾き若しくは回転しても、シャフト１と釣糸Ｌとの間にはスイベル４が介在しており、このスイベル４がシャフト１への釣糸Ｌの絡みつき等を防止する。また、このシャフト１の折り曲げ部分は２段階に第１折り曲げ部分１ａと第２折り曲げ部分１ｂとで形成される。その間の領域にスイベル４がゴム管６に挟持され、安定した状態でシャフト１に連結されている。
【００１９】
［他の実施形態］
（Ａ）図３に示すように、スイベル４を挟持するための管体はシャフト１に対して脱着自在なものとしてもよい。この管体１０は合成樹脂等から形成される管状の部材であり、左右一対の半割体からなる。半割体は半割部分の一方において相互に連結されており、この部分を中心として半割状態に開閉自在である。例えば、半割体の一方の外周面にフック１０ａを、半割体の他方の周面にフック１０ａを受ける受け部１０ｂを形成しておく。そして、シャフト１を半割状態において挟み込み、フック１０ａと受け部１０ｂとによって、シャフト１上に管体１０を固定する。
（Ｂ）さらに、図４に、シャフトの変形例を示す。
【００２０】
このシャフト１１も上記第１実施形態と同様に、全体として略「く」の字型に折り曲げられて形成されている。この折り曲げ部分は、第１折り曲げ部分１１ａと、第１折り曲げ部分１１ａから一定の距離を設けて再び折り曲げられる第２折り曲げ部分１１ｂとから構成されている。この第１折り曲げ部分１１ａと第２折り曲げ部分１１ｂとの間の領域は、上記第１実施形態のものより長く設定される。そして、図４に示すように、この領域内に配置されるスイベル４及びゴム管６は、シャフト１１の当該領域内において任意の位置にスライドさせて固定可能となっている。スピナベイト型ルアーのシャフト１１の振動や泳動姿勢を変化させたい場合に、スイベル４およびゴム管６の位置をずらして、振動や泳動姿勢を調整することができる。
【図面の簡単な説明】
【００２１】
【図１】本発明の第１実施形態を採用したルアーを示した図。
【図２】図１のルアーのシャフト１の折り曲げ部分の拡大図。
【図３】管体の変形例を示した図。
【図４】シャフトの変形例を示した図。
【符号の説明】
【００２２】
１  シャフト
２  ブレイド
３  ボディ部
４，５  スイベル
６  ゴム管（管体）
１０  管体
【図１】
2005185255.tif 000003
【図２】
2005185255.tif 000004
【図３】
2005185255.tif 000005
【図４】
2005185255.tif 000006